(57)【要約】【課題】  車両用部品を保有し管理する複数の拠点に対して、将来の所定期間において適正な在庫量で上記部品を保有させるための車両用部品在庫管理システム及び方法において、上記適正な在庫量の算出作業の簡略化を図る。【解決手段】  「保有コミット率の設定・表示」画面９０は部品Ｇｒの保有コミット率欄９４ｄと保有コミット率欄９４ｇとを含む。部品Ｇｒの保有コミット率欄９４ｄは組合せ部品グループの保有コミット率を入力する欄である。保有コミット率欄９４ｇには、部品Ｇｒの保有コミット率欄９４ｄに入力された値が自動的に表示される。管理サーバは、将来の所定期間における各拠点の各部品の受注予測数と各拠点の各部品の保有コミット率と下位拠点の各部品の保有在庫量とに基づいて、将来の所定期間における各拠点の各部品の保有在庫量を算出する。【選択図】  図１０
2005075523.tif 000002
【特許請求の範囲】
【請求項１】
下層側と該下層側を管轄する上層側との複数の階層をなすように設けられ且つ複数種の車両用部品を保有し管理する複数の拠点に対して、将来の所定期間において適正な在庫量で上記各部品を保有させるための車両用部品在庫管理システムであって、
上記将来の所定期間における上記各拠点の上記各部品の需要予測量を予測する予測手段と、
上記各拠点毎に設定され且つ上記将来の所定期間において部品トータルの上記需要予測量に対して該各拠点が最低限保有すべき量の割合を示す、部品トータルの最低保有率を、記憶する最低保有率記憶手段と、
上記各拠点毎に設定され且つ上記将来の所定期間において上記各部品の上記需要予測量に対して該各拠点が保有宣言する量の割合を示す、上記各部品の保有コミット率を、記憶する保有コミット率記憶手段と、
上記各部品を関連性がある部品同士のグループに分けることで得られる複数の部品グループを、記憶する部品グループ記憶手段と、
少なくとも上記需要予測量と上記保有コミット率とに基づいて、上記将来の所定期間における上記各拠点の上記各部品の保有在庫量を算出し、該算出した保有在庫量を上記各拠点に対して指示する制御手段とを備え、
上記制御手段は、上記保有コミット率記憶手段に記憶される各拠点毎の各部品の保有コミット率の設定を支援する保有コミット率設定支援手段を有し、
上記保有コミット率設定支援手段は、
上記各部品グループに対して保有コミット率を設定することにより、該保有コミット率を、該各部品グループを構成している部品の保有コミット率として一律に設定する一律設定機能と、
上記設定された保有コミット率に基づいて、部品トータルの保有コミット率を算出する算出機能と、
上記部品トータルの最低保有率に対する上記算出した部品トータルの保有コミット率の達成率を算出し、該算出した達成率を上記各拠点に設けた表示手段に表示する達成率表示機能とを有している
ことを特徴とする車両用部品在庫管理システム。
【請求項２】
請求項１記載の車両用部品在庫管理システムにおいて、
上記各部品グループを構成している部品は、上記各拠点単位で設定可能であることを特徴とする車両用部品在庫管理システム。
【請求項３】
下層側と該下層側を管轄する上層側との複数の階層をなすように設けられ且つ複数種の車両用部品を保有し管理する複数の拠点に対して、将来の所定期間において適正な在庫量で上記各部品を保有させるための車両用部品在庫管理システムであって、
上記将来の所定期間における上記各拠点の上記各部品の需要予測量を予測する予測手段と、
上記各拠点毎に設定され且つ上記将来の所定期間において部品トータルの上記需要予測量に対して該各拠点が最低限保有すべき量の割合を示す、部品トータルの最低保有率と、上記各拠点毎に設定され且つ上記将来の所定期間において上記各部品の上記需要予測量に対して該各拠点が保有する量の割合を示す、各部品の最低保有率とを、記憶する最低保有率記憶手段と、
上記各部品を関連性がある部品同士のグループに分けることで得られる複数の部品グループを、記憶する部品グループ記憶手段と、
少なくとも上記需要予測量と上記各部品の最低保有率とに基づいて、上記将来の所定期間における上記各拠点の上記各部品の保有在庫量を算出し、該算出した保有在庫量を上記各拠点に対して指示する制御手段とを備え、
上記制御手段は、上記最低保有率記憶手段に記憶されている各拠点毎の部品トータルの最低保有率の設定を支援する最低保有率設定支援手段を有し、
上記最低保有率設定支援手段は、
上記各部品グループに対して最低保有率を設定することにより、該最低保有率を、該各部品グループを構成している部品の最低保有率として一律に設定する一律設定機能と、
上記各部品グループを構成している部品に対して最低保有率を個別に設定することにより、該最低保有率を該部品の最低保有率として個別に設定する個別設定機能と、
上記設定された最低保有率に基づいて、上記部品トータルの最低保有率を算出する算出機能とを有している
ことを特徴とする車両用部品在庫管理システム。
【請求項４】
請求項３記載の車両用部品在庫管理システムにおいて、
上記制御手段は、少なくとも上記需要予測量と上記部品の最低保有率とに基づいて、上記将来の所定期間における上記各拠点の上記各部品の保有在庫量を算出し、該算出した保有在庫量を上記表示手段に表示する保有在庫量表示機能を有していることを特徴とする車両用部品在庫管理システム。
【請求項５】
請求項１〜４のいずれか１つに記載の車両用部品在庫管理システムにおいて、
上記制御手段は、上記算出した保有在庫量から上記各拠点における上記各部品の現在の在庫量を引いた値を算出し、該算出した値を、上記各部品の必要な補充量として上記各拠点に対して指示する指示機能を有していることを特徴とする車両用部品在庫管理システム。
【請求項６】
下層側と該下層側を管轄する上層側との複数の階層をなすように設けられ且つ複数種の車両用部品を保有し管理する複数の拠点に対して、将来の所定期間において適正な在庫量で上記各部品を保有させるための車両用部品在庫管理方法であって、
上記将来の所定期間における上記各拠点の上記各部品の需要予測量を予測する工程と、
上記各拠点毎に設定され且つ上記将来の所定期間において部品トータルの上記需要予測量に対して該各拠点が最低限保有すべき量の割合を示す、部品トータルの最低保有率を、記憶する工程と、
上記各拠点毎に設定され且つ上記将来の所定期間において上記各部品の上記需要予測量に対して該各拠点が保有宣言する量の割合を示す、上記各部品の保有コミット率を、記憶する工程と、
上記各部品を関連性がある部品同士のグループに分けることで得られる複数の部品グループを、記憶する工程と、
少なくとも上記需要予測量と上記保有コミット率とに基づいて、上記将来の所定期間における上記各拠点の上記各部品の保有在庫量を算出し、該算出した保有在庫量を上記各拠点に対して指示する工程と、
各拠点毎の各部品の保有コミット率の設定を支援する工程とを備え、
上記各拠点毎の各部品の保有コミット率の設定を支援する工程は、
上記各部品グループに対して保有コミット率を設定することにより、該保有コミット率を、該各部品グループを構成している部品の保有コミット率として一律に設定する工程と、
上記設定された保有コミット率に基づいて、部品トータルの保有コミット率を算出する工程と、
上記部品トータルの最低保有率に対する上記算出した部品トータルの保有コミット率の達成率を算出し、該算出した達成率を上記各拠点に設けた表示手段に表示する工程とを有している
ことを特徴とする車両用部品在庫管理方法。
【請求項７】
下層側と該下層側を管轄する上層側との複数の階層をなすように設けられ且つ複数種の車両用部品を保有し管理する複数の拠点に対して、将来の所定期間において適正な在庫量で上記各部品を保有させるための車両用部品在庫管理方法であって、
上記将来の所定期間における上記各拠点の上記各部品の需要予測量を予測する工程と、
上記各拠点毎に設定され且つ上記将来の所定期間において部品トータルの上記需要予測量に対して該各拠点が最低限保有すべき量の割合を示す、部品トータルの最低保有率と、上記各拠点毎に設定され且つ上記将来の所定期間において上記各部品の上記需要予測量に対して該各拠点が保有する量の割合を示す、各部品の最低保有率とを、記憶する工程と、
上記各部品を関連性がある部品同士のグループに分けることで得られる複数の部品グループを、記憶する工程と、
少なくとも上記需要予測量と上記各部品の最低保有率とに基づいて、上記将来の所定期間における上記各拠点の上記各部品の保有在庫量を算出し、該算出した保有在庫量を上記各拠点に対して指示する工程と、
各拠点毎の部品トータルの最低保有率の設定を支援する工程とを備え、
上記各拠点毎の部品トータルの最低保有率の設定を支援する工程は、
上記各部品グループに対して最低保有率を設定することにより、該最低保有率を、該各部品グループを構成している部品の最低保有率として一律に設定する工程と、
上記各部品グループを構成している部品に対して最低保有率を個別に設定することにより、該最低保有率を該部品の最低保有率として個別に設定する工程と、
上記設定された最低保有率に基づいて、上記部品トータルの最低保有率を算出する工程とを有している
ことを特徴とする車両用部品在庫管理方法。
【発明の詳細な説明】
【技術分野】
【０００１】
本発明は、自動車等の車両用部品を保有し管理する複数の拠点に対して、将来の所定期間において適正な在庫量で上記部品を保有させるための車両用部品在庫管理システム及び方法に関するものである。
【背景技術】
【０００２】
一般に、車両用部品の在庫拠点は、下層側と該下層側を管轄する上層側との複数の階層をなすように設けられている。すなわち、部品を顧客に直接販売する販売拠点が最下層の拠点として存在し、その販売拠点を都道府県単位等で管轄しかつ販売拠点に部品を供給する拠点（物流拠点等）が、中間層の拠点として存在し、その物流拠点等を管轄しかつ物流拠点等に部品を供給する部品庫が最上層の拠点として存在しており、これら最上層から最下層の拠点まで階層構造的に設けられている。
【０００３】
上記各拠点における部品の在庫・補充を管理する在庫補充管理システムとしては、例えば、特許文献１に示されているものが知られている。この在庫補充管理システムは、管理サーバと、販売拠点に設けられた販売拠点端末と、物流拠点に設けられた物流拠点端末とを備えている。管理サーバは、販売拠点端末からの部品の受注の情報に基づいて、販売拠点における目標在庫量を演算するとともに、新規受注量と目標在庫量の変動量とに基づいて、販売拠点における部品の補充量を演算し、その補充量分の部品を販売拠点に補充することを物流拠点に対して指示する。また、管理サーバは、販売拠点における目標在庫量と引当可能実在庫量との差に基づいて、販売拠点の過剰在庫量を演算し、その過剰在庫量分の部品を回収することを物流拠点に対して指示する。そして、上記目標在庫量は、各部品毎に算出される。
【特許文献１】特開２００２−３４２４３１号公報
【発明の開示】
【発明が解決しようとする課題】
【０００４】
ところで、車両が故障した場合には、容易に買換えることが出来ないため、通常、故障した部品を交換することで対応する。この交換部品が、すぐに入手できないと、車両を使用できない状態で顧客を長期間待たせることとなり、顧客に対するサービス性が大幅に低下する。特に、海外の部品メーカから部品を取り寄せる場合には、顧客をさらに長期間待たせることとなる。このため、部品を供給販売する拠点は、顧客を長時間待たせることがないように、上記従来例の如く、各拠点の過去の受注数から将来の需要予測量を算出するが、各拠点の在庫スペースなどの諸事情により、その全てを予め各拠点に補充しておくことは出来ないため、需要予測量と所定割合である保有率とから算出される目標在庫量を、予め保有することで、顧客へのサービス性の低下を防止しつつ、在庫スペースの増大等が生じないようにしている。
【０００５】
しかしながら、車両用部品はその点数が非常に多いため、上述のように各部品毎に目標在庫量を算出していると、その算出作業が非常に煩雑なものになる。
【０００６】
本発明は、かかる点に鑑みてなされたものであり、その目的とするところは、自動車等の車両用部品を保有し管理する複数の拠点に対して、将来の所定期間において適正な在庫量で上記部品を保有させるための車両用部品在庫管理システム及び方法において、上記適正な在庫量の算出作業の簡略化を図る技術を提供することにある。
【課題を解決するための手段】
【０００７】
第１の発明は、下層側と該下層側を管轄する上層側との複数の階層をなすように設けられ且つ複数種の車両用部品を保有し管理する複数の拠点に対して、将来の所定期間において適正な在庫量で上記各部品を保有させるための車両用部品在庫管理システムであって、上記将来の所定期間における上記各拠点の上記各部品の需要予測量を予測する予測手段と、上記各拠点毎に設定され且つ上記将来の所定期間において部品トータルの上記需要予測量に対して該各拠点が最低限保有すべき量の割合を示す、部品トータルの最低保有率を、記憶する最低保有率記憶手段と、上記各拠点毎に設定され且つ上記将来の所定期間において上記各部品の上記需要予測量に対して該各拠点が保有宣言する量の割合を示す、上記各部品の保有コミット率を、記憶する保有コミット率記憶手段と、上記各部品を関連性がある部品同士のグループに分けることで得られる複数の部品グループを、記憶する部品グループ記憶手段と、少なくとも上記需要予測量と上記保有コミット率とに基づいて、上記将来の所定期間における上記各拠点の上記各部品の保有在庫量を算出し、該算出した保有在庫量を上記各拠点に対して指示する制御手段とを備え、上記制御手段が、上記保有コミット率記憶手段に記憶される各拠点毎の各部品の保有コミット率の設定を支援する保有コミット率設定支援手段を有し、上記保有コミット率設定支援手段が、上記各部品グループに対して保有コミット率を設定することにより、該保有コミット率を、該各部品グループを構成している部品の保有コミット率として一律に設定する一律設定機能と、上記設定された保有コミット率に基づいて、部品トータルの保有コミット率を算出する算出機能と、上記部品トータルの最低保有率に対する上記算出した部品トータルの保有コミット率の達成率を算出し、該算出した達成率を上記各拠点に設けた表示手段に表示する達成率表示機能とを有していることを特徴とするものである。
【０００８】
これにより、保有コミット率設定支援手段は、各部品グループに対して保有コミット率を設定することにより、該保有コミット率を、各部品グループを構成している部品の保有コミット率として一律に設定する一律設定機能を有しているため、各部品のそれぞれに対して保有コミット率を設定する必要がない。したがって、保有在庫量の算出作業の簡略化を図ることができる。
【０００９】
第２の発明は、上記第１の発明において、上記各部品グループを構成している部品が、上記各拠点単位で設定可能であることを特徴とするものである。
【００１０】
これにより、各部品グループを構成している部品は各拠点単位で設定可能であるため、各拠点の事情により、やむを得ず、部品グループの構成を変更する場合でも、各拠点毎に各部品グループを構成している部品を変更することができる。
【００１１】
第３の発明は、下層側と該下層側を管轄する上層側との複数の階層をなすように設けられ且つ複数種の車両用部品を保有し管理する複数の拠点に対して、将来の所定期間において適正な在庫量で上記各部品を保有させるための車両用部品在庫管理システムであって、上記将来の所定期間における上記各拠点の上記各部品の需要予測量を予測する予測手段と、上記各拠点毎に設定され且つ上記将来の所定期間において部品トータルの上記需要予測量に対して該各拠点が最低限保有すべき量の割合を示す、部品トータルの最低保有率と、上記各拠点毎に設定され且つ上記将来の所定期間において上記各部品の上記需要予測量に対して該各拠点が保有する量の割合を示す、各部品の最低保有率を、記憶する最低保有率記憶手段と、上記各部品を関連性がある部品同士のグループに分けることで得られる複数の部品グループを、記憶する部品グループ記憶手段と、少なくとも上記需要予測量と上記各部品の最低保有率とに基づいて、上記将来の所定期間における上記各拠点の上記各部品の保有在庫量を算出し、該算出した保有在庫量を上記各拠点に対して指示する制御手段とを備え、上記制御手段が、上記最低保有率記憶手段に記憶されている各拠点毎の部品トータルの最低保有率の設定を支援する最低保有率設定支援手段を有し、上記最低保有率設定支援手段が、上記各部品グループに対して最低保有率を設定することにより、該最低保有率を、該各部品グループを構成している部品の最低保有率として一律に設定する一律設定機能と、上記各部品グループを構成している部品に対して最低保有率を個別に設定することにより、該最低保有率を該部品の最低保有率として個別に設定する個別設定機能と、上記設定された最低保有率に基づいて、上記部品トータルの最低保有率を算出する算出機能とを有していることを特徴とするものである。
【００１２】
これにより、最低保有率設定支援手段は、各部品グループに対して最低保有率を設定することにより、該最低保有率を、該各部品グループを構成している部品の最低保有率として一律に設定する一律設定機能を有しているため、各部品のそれぞれに対して最低保有率を設定する必要がない。
【００１３】
また、最低保有率設定支援手段は、各部品グループを構成している部品に対して最低保有率を個別に設定することにより、該最低保有率を該部品の最低保有率として個別に設定する個別設定機能を有しているため、やむを得ず、所定の部品に対し、特別な最低保有率を設定する必要がある場合、各部品のそれぞれに対して最低保有率を設定することもできる。
【００１４】
第４の発明は、上記第３の発明において、上記制御手段が、少なくとも上記需要予測量と上記部品の最低保有率とに基づいて、上記将来の所定期間における上記各拠点の上記各部品の最低保有在庫量を算出し、該算出した最低保有在庫量を上記表示手段に表示する最低保有在庫量表示機能を有していることを特徴とするものである。
【００１５】
これにより、制御手段は、少なくとも需要予測量と部品の最低保有率とに基づいて、将来の所定期間における各拠点の各部品の最低保有在庫量を算出し、該算出した最低保有在庫量を上記表示手段に表示する最低保有在庫量表示機能を有しているため、各拠点は、将来の所定期間における各部品の最低保有在庫量を簡単に知ることができる。
【００１６】
第５の発明は、上記第１〜第４の発明のいずれか１つにおいて、上記制御手段が、上記算出した保有在庫量から上記各拠点における上記各部品の現在の在庫量を引いた値を算出し、該算出した値を、上記各部品の必要な補充量として上記各拠点に対して指示する指示機能を有していることを特徴とするものである。
【００１７】
これにより、制御手段は、算出した保有在庫量から各拠点における各部品の現在の在庫量を引いた値を算出し、該算出した値を、各部品の必要な補充量として各拠点に対して指示するため、各拠点は、各部品の必要な補充量を簡単に知ることができる。
【００１８】
第６の発明は、下層側と該下層側を管轄する上層側との複数の階層をなすように設けられ且つ複数種の車両用部品を保有し管理する複数の拠点に対して、将来の所定期間において適正な在庫量で上記各部品を保有させるための車両用部品在庫管理方法であって、上記将来の所定期間における上記各拠点の上記各部品の需要予測量を予測する工程と、上記各拠点毎に設定され且つ上記将来の所定期間において部品トータルの上記需要予測量に対して該各拠点が最低限保有すべき量の割合を示す、部品トータルの最低保有率を、記憶する工程と、上記各拠点毎に設定され且つ上記将来の所定期間において上記各部品の上記需要予測量に対して該各拠点が保有宣言する量の割合を示す、上記各部品の保有コミット率を、記憶する工程と、上記各部品を関連性がある部品同士のグループに分けることで得られる複数の部品グループを、記憶する工程と、少なくとも上記需要予測量と上記保有コミット率とに基づいて、上記将来の所定期間における上記各拠点の上記各部品の保有在庫量を算出し、該算出した保有在庫量を上記各拠点に対して指示する工程と、各拠点毎の各部品の保有コミット率の設定を支援する工程とを備え、上記各拠点毎の各部品の保有コミット率の設定を支援する工程が、上記各部品グループに対して保有コミット率を設定することにより、該保有コミット率を、該各部品グループを構成している部品の保有コミット率として一律に設定する工程と、上記設定された保有コミット率に基づいて、部品トータルの保有コミット率を算出する工程と、上記部品トータルの最低保有率に対する上記算出した部品トータルの保有コミット率の達成率を算出し、該算出した達成率を上記各拠点に設けた表示手段に表示する工程とを有していることを特徴とするものである。
【００１９】
第７の発明は、下層側と該下層側を管轄する上層側との複数の階層をなすように設けられ且つ複数種の車両用部品を保有し管理する複数の拠点に対して、将来の所定期間において適正な在庫量で上記各部品を保有させるための車両用部品在庫管理方法であって、上記将来の所定期間における上記各拠点の上記各部品の需要予測量を予測する工程と、上記各拠点毎に設定され且つ上記将来の所定期間において部品トータルの上記需要予測量に対して該各拠点が最低限保有すべき量の割合を示す、部品トータルの最低保有率と、上記各拠点毎に設定され且つ上記将来の所定期間において上記各部品の上記需要予測量に対して該各拠点が保有する量の割合を示す、各部品の最低保有率とを、記憶する工程と、上記各部品を関連性がある部品同士のグループに分けることで得られる複数の部品グループを、記憶する工程と、少なくとも上記需要予測量と上記各部品の最低保有率とに基づいて、上記将来の所定期間における上記各拠点の上記各部品の保有在庫量を算出し、該算出した保有在庫量を上記各拠点に対して指示する工程と、各拠点毎の部品トータルの最低保有率の設定を支援する工程とを備え、上記各拠点毎の部品トータルの最低保有率の設定を支援する工程は、上記各部品グループに対して最低保有率を設定することにより、該最低保有率を、該各部品グループを構成している部品の最低保有率として一律に設定する工程と、上記各部品グループを構成している部品に対して最低保有率を個別に設定することにより、該最低保有率を該部品の最低保有率として個別に設定する工程と、上記設定された最低保有率に基づいて、上記部品トータルの最低保有率を算出する工程とを有していることを特徴とするものである。
【発明の効果】
【００２０】
本発明によれば、保有コミット率設定支援手段は、各部品グループに対して保有コミット率を設定することにより、該保有コミット率を、各部品グループを構成している部品の保有コミット率として一律に設定する一律設定機能を有しているため、各部品のそれぞれに対して保有コミット率を設定する必要がない。したがって、保有在庫量の算出作業の簡略化を図ることができる。
【００２１】
また、本発明によれば、最低保有率設定支援手段は、各部品グループに対して最低保有率を設定することにより、該最低保有率を、該各部品グループを構成している部品の最低保有率として一律に設定する一律設定機能を有しているため、各部品のそれぞれに対して最低保有率を設定する必要がない。
【００２２】
また、最低保有率設定支援手段は、各部品グループを構成している部品に対して最低保有率を個別に設定することにより、該最低保有率を該部品の最低保有率として個別に設定する個別設定機能を有しているため、やむを得ず、所定の部品に対し、特別な最低保有率を設定する必要がある場合、各部品のそれぞれに対して最低保有率を設定することもできる。
【発明を実施するための最良の形態】
【００２３】
以下、本発明の実施形態を図面に基づいて詳細に説明する。
【００２４】
本発明の実施形態に係る車両用部品在庫管理システム１は、下層側と該下層側を管轄する上層側との複数の階層をなすように設けられ且つ複数種の車両用部品（以下、部品という）を保有し管理する複数の拠点に対して、将来の所定期間において適正な在庫量で上記各部品を保有させるために、使用されるものである。
【００２５】
図１に示すように、部品を顧客に直接販売する販社拠点（販売拠点）２が下層の拠点として存在し、その販社拠点２を管轄しかつ販社拠点２に部品を供給する子拠点３が、第１中層の拠点として存在し、その販社拠点２又は子拠点３を管轄しかつ販社拠点２又は子拠点３に部品を供給する親拠点４（子拠点３が存在しない場合には販社拠点２を直接管轄しかつ該販社拠点２に部品を供給し、子拠点３が存在する場合にはその子拠点３を直接管轄しかつ該子拠点３に部品を供給する）が、第２中層の拠点として存在し、その親拠点４を管轄しかつ親拠点４に部品を供給する国内用部品庫５が上層の拠点として存在しており、これら上層から下層の拠点まで階層構造的に設けられている。
【００２６】
国内用部品庫・親拠点・子拠点・販社拠点の各拠点２，３，４，５はそれぞれ、各部品を各自で保有し管理している。また、国内用部品庫５を除く各拠点２，３，４は、部品が目標在庫量を下回った場合には、自拠点の直上に位置している拠点からその部品を補充する。すなわち、販社拠点２を除く各拠点３，４，５は、自拠点の直下に位置している拠点における部品が目標在庫量を下回った場合には、その部品をその拠点に対して補充する。本実施形態では、販社拠点２は、部品が目標在庫量を下回った場合には、直上に位置している子拠点３又は親拠点４からその部品を補充し、子拠点３は、直上に位置している親拠点４からその部品を補充し、親拠点４は、国内用部品庫５からその部品を補充する。
【００２７】
国内用部品庫５は、後述するサプライヤ６から供給された各部品を親拠点４に対して補充する拠点であり、例えば、日本国内に１つだけ設置されている。本実施形態では、国内用部品庫５は第１及び第２親拠点４ａ，４ｂを管轄している。
【００２８】
サプライヤ６は、各部品を製造するとともに、製造したその各部品を国内用部品庫５及び後述する海外用部品庫７に対して供給するものであり、例えば、日本国内に数百存在している。
【００２９】
また、国内用部品庫５は、後述する海外用部品庫７との間でも各部品を遣り取りする。この海外用部品庫７は、海外向けの各部品をアメリカ・ヨーロッパ等の海外拠点８に対して補充する拠点であり、例えば、日本国内に１つだけ設置されている。さらに、国内用部品庫５は各部品を直取販社９に対しても補充する。
【００３０】
親拠点４は、例えば、関東地方・近畿地方・中国地方等の地方単位毎に配置されている。本実施形態では、第１親拠点４ａは第１及び第２子拠点３ａ，３ｂを管轄し、第２親拠点４ｂは第５〜第８販社拠点２ｅ，２ｆ，２ｇ，２ｈを管轄している。また、親拠点４は各部品を部品商１０及び整備業者１１に対しても補充する場合がある（この場合、親拠点４は販社拠点２と同様に機能していることになる）。
【００３１】
子拠点３は、例えば、東京都・大阪府・広島県等の都道府県単位毎に配置されている。本実施形態では、第１子拠点３ａは第１及び第２販社拠点２ａ，２ｂを管轄し、第２子拠点３ｂは第３及び第４販社拠点２ｃ，２ｄを管轄している。
【００３２】
販社拠点２は各部品を顧客に対して実際に供給する拠点であり、例えば、市町村・区等の地域単位毎に配置されている。
【００３３】
図２に示すように、上記車両用部品在庫管理システム１は、管理サーバ１２と、管理用データベース１３と、国内用部品庫５に設けられた国内用部品庫端末１４と、各親拠点４のそれぞれに設けられた親拠点端末１５と、各子拠点３のそれぞれに設けられた子拠点端末１６と、各販社拠点２のそれぞれに設けられた販社拠点端末１７とを備えている。管理サーバ１２は、国内用部品庫端末１４、各親拠点端末１５、各子拠点端末１６及び各販社拠点端末１７のそれぞれと、通信回線を介して接続されている。なお、本発明の予測手段及び制御手段は管理サーバ１２に対応し、最低保有率記憶手段、保有コミット率記憶手段及び部品グループ記憶手段は管理用データベース１３に対応する。
【００３４】
管理サーバ１２は、各拠点２，３，４，５に対して、将来の所定期間において適正な在庫量で各部品を保有させるために、種々の動作を行うものである。管理サーバ１２の動作の概要については後述する。
【００３５】
管理用データベース１３は管理サーバ１２からアクセス可能に構成され、各拠点２，３，４，５に対して、将来の所定期間において適正な在庫量で各部品を保有させるために必要な各種データ（情報）を記憶するものである。各種データには、受注データと、部品グループデータと、拠点間持合関係データと、保有率データと、スペースデータと、一過性データ抽出用データとが含まれている。受注データとは、各拠点２，３，４，５における各部品毎の受注のデータである。
【００３６】
部品グループデータとは、複数の基本部品グループのデータである。ここで、基本部品グループとは、複数の部品を、互いに関連性のある部品同士のグループに分けたものである。これらの基本部品グループのベースデータは予め入力されていて、管理用データベース１３はそのベースデータを記憶している。また、基本部品グループのベースデータに対して、部品の追加、変更又は削除を行うことができる。さらに、これらの基本部品グループのうちいくつかを組み合わせること等により、組合せ部品グループを設定することができる。
【００３７】
−組合せ部品グループの設定−
ここで、この組合せ部品グループの設定の方法について、図５〜図８を用いながら詳細に説明する。
【００３８】
まず、所定操作を行うと、図５に示すように、メニュー画面としての「部品グループと保有率の設定画面」２０が表示される。
【００３９】
「部品グループと保有率の設定画面」２０は「部品グループの設定」欄２１と「保有率の設定」欄２２とにより構成されている。「部品グループの設定」欄２１には、「１．基本部品グループの設定・表示」２３と「２．組合せ部品グループの設定・表示」２４とが含まれている。「保有率の設定」欄２２には、「３．最低保有率の設定・表示」２５と「４．保有コミット率の設定・表示」２６と「５．一時的保有コミット率の設定・表示」２７とが含まれている。
【００４０】
＜基本部品グループの設定・表示画面＞
最初に、「部品グループと保有率の設定画面」２０の「１．基本部品グループの設定・表示」２３をクリック（選択）すると、図６に示すように、「基本部品グループの設定・表示」画面３０が表示される。
【００４１】
「基本部品グループの設定・表示」画面３０は、拠点コード欄３１と、基本部品グループ表示部３２と、変更ボタン３３と、「戻る」ボタン３４とにより構成されている。
【００４２】
拠点コード欄３１には、プルダウンリストから、拠点コードの中からいずれか１つの拠点コードを選択することにより、選択したその拠点コードが表示される。図６における拠点コード欄３１には「１２４３」と表示されている。基本部品グループの設定・表示は、全ての拠点２，３，４，５に対し一括して行われるが、拠点コード欄３１により、拠点毎に設定・表示することも可能である。
【００４３】
基本部品グループ表示部３２は、「１レベル」表示部３２ａと、「２レベル」表示部３２ｂと、「３レベル」表示部３２ｃとを含んでいる。「１レベル」表示部３２ａには、複数の部品を、互いに関連性のある部品同士のグループに分けるための基準となる項目の名称が示されている。本実施形態では、例えば、そのような項目として、「品目」「適用車種」「流動性ランク」「検査部品」「価格」「世代」「部品ＮＯ特定桁」「大きさ」等が挙げられる。「２レベル」表示部３２ｂには、上述の項目に基づき分けられたグループとしての複数の基本部品グループの名称が示されている。「３レベル」表示部３２ｃには、各基本部品グループを構成する部品が示されている。
【００４４】
本実施形態では、例えば、「品目」により部品を分類したときには、部品は「ロータリーエンジン部品」「レシプロエンジン部品」…等の基本部品グループに分けられる。「ロータリーエンジン部品」には、「ロータ」「ロータハウジング」「点火プラグ」「イグナイタ」「ハイテンションコード」「インジェクタ」等の部品が含まれている。「レシプロエンジン部品」には、「ピストン」「ヘッドカバー」等の部品が含まれている。また、「適用車種」により部品を類別したときには、部品は「Ａ車」「Ｂ車」等の基本部品グループに分けられる。
【００４５】
この基本部品グループのベースデータは全ての拠点に対し、同一のデータが予め入力されていて、管理用データベース１３はそのベースデータを記憶している。このデータベースの基本部品グループに対して部品の追加、変更又は削除を行う必要があるときには、「基本部品グループの設定・表示」画面３０の変更ボタン３３をクリックする。すると、図７に示すように、「基本部品グループ設定」画面４０が表示され、部品の追加、変更又は削除が不要の場合は、「戻る」ボタン３４をクリックしてメニュー画面２０に戻る。
【００４６】
＜基本部品グループ設定画面＞
「基本部品グループ設定」画面４０は、拠点コート欄４１と、基本部品グループＩＤ欄４２と、１レベル欄４３と、２レベル欄４４と、３レベル変更前欄４５と、３レベル変更後欄４６と、追加部品欄４７と、追加ボタン４８と、削除ボタン４９と、変更部品欄５０と、変更ボタン５１と、設定ボタン５２と、「前へ」ボタン５３と、「次へ」ボタン５４と、「戻る」ボタン５５とにより構成されている。
【００４７】
基本部品グループＩＤ欄４２は、基本部品グループのＩＤを入力する欄である。図７における基本部品グループＩＤ欄４２には、「Ａ２３」と入力されている。「Ａ２３」は、基本部品グループとしての「ロータリエンジン部品」のＩＤを示している。
【００４８】
１レベル欄４３には、プルダウンリストから「品目」「適用車種」「流動性ランク」「検査部品」「価格」「世代」「部品ＮＯ特定桁」「大きさ」等の中からいずれか１つを選択することにより、その選択したものが表示される。図７における１レベル欄４３には「品目」が表示されている。
【００４９】
２レベル欄４４には、プルダウンリストから、１レベル欄４３に表示されたものを基準としてグループ化された基本部品グループのうちいずれか１つのグループを選択することにより、選択したその基本部品グループが表示される。図７における２レベル欄４４には「ロータリエンジン部品」が表示されている。
【００５０】
３レベル変更前欄４５には、２レベル欄４４に表示された基本部品グループを現在構成している部品が表示される。図７における３レベル変更前欄４５には 、「ロータ」「ロータハウジング」「点火プラグ」「イグナイタ」「ハイテンションコード」「インジェクタ」等が表示されている。
【００５１】
３レベル変更後欄４６には、３レベル変更前欄４５に表示された基本部品グループに対して部品の追加、削除又は変更を行った後の、その基本部品グループを構成する部品が表示される。図７における３レベル変更後欄４６には、「ロータ」「ロータハウジング」「点火プラグ」「ハイテンションコード」「インジェクタ」「サイドハウジング」等が表示されている。
【００５２】
追加部品欄４７は、２レベル欄４４に表示された基本部品グループに追加したい部品を入力する欄である。そして、追加部品欄４７に追加したい部品を入力した後、追加ボタン４８をクリックすると、３レベル変更後欄４６にその部品が追加して表示される。図７における追加部品欄４７には「サイドハウジング」が入力され、３レベル変更前欄４５に比べて、３レベル変更後欄４６に示されるように、「サイドハウジング」が追加されている。
【００５３】
３レベル変更前欄４５に表示された部品のうち削除したい部品にカーソルを合わせた後、削除ボタン４９をクリックすると、３レベル変更後欄４６には、その部品は削除され表示されない。図７における３レベル変更前欄４５では、「イグナイタ」にカーソルが合わされ、削除ボタン４９をクリックすることで３レベル変更後欄４６から「イグナイタ」が削除されている。
【００５４】
変更部品欄５０は、２レベル欄４４に表示された基本部品グループから削除したい部品を入力する左欄５０ａと、その基本部品グループに追加したい部品を入力する右欄５０ｂとにより構成されている。そして、両欄５０ａ，５０ｂにそれぞれ部品を入力した後、変更ボタン５１をクリックすると、３レベル変更後欄４６には左欄５０ａに入力した部品が表示されず且つ右欄５０ｂに入力した部品が表示される。図７における変更部品欄５０の左欄５０ａには「ハイテンションコード」が入力され、右欄５０ｂには「点火コイル」が入力され、この状態で変更ボタン５１をクリックすると、３レベル変更前欄４５の「ハイテンションコード」が「点火コイル」に変更される。なお、図７は、変更ボタン５１をクリックする前の状態を示す。
【００５５】
上述のように、２レベル欄４４に表示された基本部品グループに対する部品の追加、削除又は変更の後、設定ボタン５２をクリックすると、その部品の追加、削除又は変更が設定・登録され、管理用データベース１３は、追加、削除又は変更後におけるその基本グループを記憶する。上述の基本部品グループの設定は、全ての拠点２，３，４，５に対して一括して行われるが、拠点コード欄４１から所定の拠点を選択した後上述の操作を行うことで、拠点毎に基本部品グループを設定することも可能である。また、１つのみの部品からなる基本部品グループを設定することも可能である。
【００５６】
次に、「戻る」ボタン５５をクリックすると、図６の「基本部品グループの設定・表示」画面３０に戻り、設定された基本部品グループを確認することができる。「前へ」ボタン５３をクリックすると、基本部品グループＩＤの小さい基本部品グループへ移行し、「次へ」ボタン５４をクリックすると、基本部品グループＩＤの大きい基本部品グループへ移行する。
【００５７】
＜組合せ部品グループの設定・表示画面＞
次に、図５に示すメニュー画面としての「部品グループと保有率の設定画面」２０の「２．組合せ部品グループの設定・表示」２４をクリックすると、図８に示すように、「組合せ部品グループの設定・表示」画面６０が表示される。
【００５８】
「組合せ部品グループの設定・表示」画面６０は、拠点コード欄６１と、組合せ部品グループＩＤ欄６２と、組合せ部品グループ名称欄６３と、論理演算テーブル欄６４と、設定ボタン６５と、内容欄６６と、該当部品一覧６７と、「前へ」ボタン６８と、「次へ」ボタン６９と、「戻る」ボタン７０と、「最低保有率の設定」ボタン７１とにより構成されている。
【００５９】
組合せ部品グループＩＤ欄６２は、組合せ部品グループのＩＤを入力する欄である。図８における組合せ部品グループＩＤ欄６２には「Ｋ０１」と入力されている。「Ｋ０１」は、「Ａ車のロータリエンジン部品」のＩＤを示している。
【００６０】
組合せ部品グループ名称欄６３は、組合せ部品グループの名称を入力する欄である。図８における組合せ部品グループ名称欄６３には「Ａ車のロータリエンジン部品」と入力されている。
【００６１】
論理演算テーブル欄６４は、組合せ部品グループの組合せ方法を入力する欄である。この組合せ方法として、「基本部品グループの単独」「基本部品グループ同士のＡＮＤ」及び「基本部品グループ同士のＯＲ」の３つが挙げられる。「基本部品グループの単独」とは、組合せ部品グループを基本部品グループ単独で構成する方法である。上述のように、１つの部品のみからなる基本部品グループを設定することにより、１つの部品のみからなる組合せ部品グループを設定することも可能である。「基本部品グループ同士のＡＮＤ」とは、基本部品グループ同士をＡＮＤ条件で結ぶ方法である。「基本部品グループ同士のＯＲ」とは、基本部品グループ同士をＯＲ条件で結ぶ方法である。図８における論理演算テーブル欄６４には「（基本部品グループＩＤ＝Ａ２３）ＡＮＤ（基本部品グループＩＤ＝Ａ３５）」と入力されている。
【００６２】
組合せ部品グループＩＤ欄６２、組合せ部品グループ名称欄６３及び論理演算テーブル欄６４に所定事項を入力した後、設定ボタン６５をクリックすると、その組合せ部品グループは設定・登録され、管理用データベース１３はその組合せ部品グループを記憶する。
【００６３】
内容欄６６には、組合せ部品グループＩＤ欄６２、組合せ部品グループ名称欄６３及び論理演算テーブル欄６４に入力した組合せ部品グループの内容が表示される。図８における内容欄６６には「品目コード＝２８Ａ（ロータリエンジン部品）ベースＡＮＤ適用車種コード＝Ｎ３４５（Ａ車）ベース」が表示されている。
【００６４】
該当部品一覧６７には、組合せ部品グループＩＤ欄６２、組合せ部品グループ名称欄６３及び論理演算テーブル欄６４に入力した組合せ部品グループに該当する（含まれる）部品が表示される。図８における該当部品一覧６７には「Ａ部品」「Ｂ部品」「Ｃ部品」等が表示されている。なお、上述の組合せ部品グループの設定は、全ての拠点２，３，４，５に対して一括して行われるが、拠点コード欄６１から所定の拠点を選択した後、上述の操作を行うことで、拠点毎に組合せ部品グループを設定することも可能である。
【００６５】
次に、「戻る」ボタン７０をクリックすると、図５のメインメニュー２０へ戻り、「前へ」ボタン６８をクリックすると、組合せ部品グループＩＤの小さい組合せ部品グループへ移行し、「次へ」ボタン６９をクリックすると、組合せ部品グループＩＤの大きい組合せ部品グループへ移行する。
【００６６】
「最低保有率の設定」ボタン７１をクリックすると、後述する「最低保有率の設定・表示」画面８０（図９を参照）が表示され、メニュー画面２０に戻ることなく、組合せ部品グループに対する最低保有率の設定作業が行える。ここまで、組合せ部品グループの設定の方法の詳細な説明を行った。
【００６７】
上記拠点間持合関係データとは、持ち合い関係のデータである。ここで、持ち合い関係とは、２つの拠点間で部品を持ち合う関係をいう。この持ち合い関係は、２つの拠点間において、各部品単位又は各組合せ部品グループ単位で設定することができる。
【００６８】
上記保有率データとは、最低保有率、保有コミット率及び一時保有コミット率のデータである。最低保有率のデータは、管理サーバ１２から各拠点２，３，４，５に対し指示される保有率データであり、保有コミット率のデータは、上記最低保有率に対し、各拠点２，３，４，５から管理サーバ１２に対し保有宣言する保有データであり、一時的保有コミット率のデータとは、上記保有コミット率に代えて一時的に用いられる保有率のデータである。ここで、最低保有率のデータには、「部品の最低保有率」のデータと「組合せ部品グループの最低保有率」のデータと「部品トータルの最低保有率」のデータとが含まれている。「部品の最低保有率」のデータとは、将来の所定期間において部品の需要予測量に対して各拠点２，３，４，５が最低限保有すべき量の割合を示すものである。「組合せ部品グループの最低保有率」とは、将来の所定期間において組合せ部品グループの需要予測量に対して各拠点２，３，４，５が最低限保有すべき量の割合を示すものである。「部品トータルの最低保有率」とは、将来の所定期間において部品トータルの需要予測量に対して各拠点２，３，４，５が最低限保有すべき量の割合を示すものである。「部品の最低保有率」及び「組合せ部品グループの最低保有率」は、各拠点２，３，４，５において、各部品単位及び各組合せグループ単位で設定することができる。「部品トータルの最低保有率」は、上述のように「部品の最低保有率」及び「組合せ部品グループの最低保有率」を設定することにより、各拠点２，３，４，５毎に自動的に算出される。
【００６９】
保有コミット率とは、保有引当率とも言い、将来の所定期間において各部品の需要予測量に対して各拠点２，３，４，５が保有宣言する量の割合を示すものである。この保有コミット率は、最低保有率以上の値に設定され、また、各拠点２，３，４，５において、各部品単位又は各組合せ部品グループ単位で設定可能である。
【００７０】
一時的保有コミット率とは、上述の保有コミット率の代わりに、一時的に用いられるものである。この一時的保有コミット率は、保有コミット率よりも小さい値に設定され、また、各拠点２，３，４，５において、各部品単位又は各組合せ部品グループ単位で設定することができる。上述の方法により、組合せ部品グループを１つの部品で構成すれば、各部品単位で最低保有率、保有コミット率、及び一時的保有コミット率の設定が可能である。
【００７１】
上記スペースデータには、各部品の大きさ及び値段のデータと、各拠点２，３，４，５における各部品の載置可能スペースのデータとが含まれる。ここで、載置可能スペースとは、各拠点２，３，４，５において、部品を置くことができる空間である。
【００７２】
上記一過性データ抽出用データとは、一過性データを抽出するためのデータである。ここで、一過性データとは、災害の発生や販促キャンペーン等を原因とした一過性の受注データである。
【００７３】
上記国内用部品庫端末１４は入力用のキーボードと出力用のディスプレイとを有し、国内用部品庫５における各部品の受注データ及び各部品の現保有在庫量のデータを、管理サーバ１２に対して送信する機能と、国内用部品庫５における各部品の保有在庫量・最低保有率・保有コミット率・一時的保有コミット率のデータを、管理サーバ１２から受信する機能とを有している。ここで、現保有在庫量とは、各拠点２，３，４，５が現在実際に保有しているとみなされる在庫量であり、保有在庫量とは、各拠点２，３，４，５が将来の所定期間において保有すべき在庫量である。なお、本発明に係る表示手段はディスプレイに対応する。
【００７４】
上記親拠点端末１５はキーボード及びディスプレイを有し、その親拠点４における各部品の受注データ及び各部品の現保有在庫量のデータを、管理サーバ１２に対して送信する機能と、その親拠点４における各部品の保有在庫量・最低保有率・保有コミット率・一時的保有コミット率のデータを、管理サーバ１２から受信する機能とを有している。
【００７５】
上記子拠点端末１６はキーボード及びディスプレイを有し、その子拠点３における各部品の受注データ及び各部品の現保有在庫量のデータを、管理サーバ１２に対して送信する機能と、その子拠点３における各部品の保有在庫量・最低保有率・保有コミット率・一時的保有コミット率のデータを、管理サーバ１２から受信する機能とを有している。
【００７６】
上記販社拠点端末１７はキーボード及びディスプレイを有し、その販社拠点２における各部品の受注データ及び各部品の現保有在庫量のデータを、管理サーバ１２に対して送信する機能と、その販社拠点２における各部品の保有在庫量・最低保有率・保有コミット率・一時的保有コミット率のデータを、管理サーバ１２から受信する機能とを有している。
【００７７】
−車両用部品在庫管理システムの動作−
ここで、各拠点２，３，４，５が部品の注文を受けた場合の、車両用部品在庫管理システム１の動作の概要を、図３のフローチャート及び図４を用いながら説明する。なお、上述の組合せ部品グループの設定が予め行われている。また、所定の拠点間においては、上述の持ち合い関係が予め設定されている。
【００７８】
まず、各拠点の端末１４，１５，１６，１７に、受注した部品の品番及び数量等の受注データが入力される（ステップＳ１）。次に、入力された受注データは各拠点の端末１４，１５，１６，１７から管理サーバ１２に送信され、管理用データベース１３はこの受注データを記憶する（ステップＳ２）。
【００７９】
次に、管理サーバ１２は、記憶している受注データの中から一過性データを抽出し、抽出した一過性データに対して所定の加工を行う（ステップＳ３）。次に、管理サーバ１２は、記憶している受注データ、すなわち、実需実績に基づいて、各拠点２，３，４，５における各部品の将来の所定期間の受注予測数を算出（演算）する（ステップＳ４）。ここで、所定期間とは、各部品のリードタイム及び各拠点２，３，４，５の発注方式により決定される期間である。
【００８０】
次に、管理サーバ１２は、少なくとも各拠点２，３，４，５における各部品の将来の所定期間の受注予測数と目標保有率として各拠点２，３，４，５における各組合せ部品グループ毎又は各部品毎に設定・記憶された最低保有率と下位拠点の保有在庫量とに基づいて、将来の所定期間における各拠点２，３，４，５の各部品の保有在庫量を算出する。
【００８１】
次に、管理サーバ１２は、各拠点２，３，４，５における各組合せ部品グループ毎又は各部品毎に設定・記憶された最低保有率の情報と、将来の所定期間における各拠点２，３，４，５の各部品の保有在庫量の情報とを、各拠点の端末１４，１５，１６，１７に送信する。その後、各拠点の端末１４，１５，１６，１７には、各組合せ部品グループ毎又は各部品毎に設定・記憶された最低保有率と、将来の所定期間における各拠点２，３，４，５の各部品の保有在庫量とが表示される。そして、これらの最低保有率と保有在庫量とに応じて、各拠点の端末１４，１５，１６，１７に、各組合せ部品グループ毎に保有コミット率が入力され、それから、入力された保有コミット率の情報は、各拠点の端末１４，１５，１６，１７から管理サーバ１２に送信される（ステップＳ５）。
【００８２】
−最低保有率・保有コミット率・一時的保有コミット率の設定−
ここで、目標在庫量である最低保有率・保有コミット率・一時的保有コミット率の設定の方法について、図９〜図１３を用いながら詳細に説明する。なお、これらの設定は、まず最低保有率を設定した後、保有コミット率を設定し、さらに必要時には一時的保有コミット率を設定する。
【００８３】
＜最低保有率の設定・表示画面＞
最初に、最低保有率を設定する場合には、図５に示す「部品グループと保有率の設定画面」２０の「３．最低保有率の設定・表示」２５をクリックする。すると、図９に示すように、「最低保有率の設定・表示」画面８０が表示される。なお、本発明に係る最低保有率設定支援手段は、「最低保有率の設定・表示」画面８０に対応する。
【００８４】
「最低保有率の設定・表示」画面８０は、拠点コード欄８１と、「組合せ部品グループＩＤ・組合せ部品グループ名称・最低保有率」表示欄８２と、組合せ部品グループＩＤ欄８３と、最低保有率欄８４と、設定ボタン８５と、「前へ」ボタン８６と、「次へ」ボタン８７と、「戻る」ボタン８８と、部品別最低保有率設定ボタン８９とにより構成されている。
【００８５】
まず、拠点コード欄８１から拠点を選択する。「組合せ部品グループＩＤ・組合せ部品グループ名称・最低保有率」表示欄８２には、組合せ部品グループＩＤと、組合せ部品グループ名称と、該組合せ部品グループＩＤ及び組合せ部品グループ名称に表示された組合せ部品グループの最低保有率とが表示される。
【００８６】
組合せ部品グループＩＤ欄８３は、最低保有率の設定を行う組合せ部品グループのＩＤを入力する欄である。図９における組合せ部品グループＩＤ欄８３には「Ｋ０１」と入力されている。
【００８７】
最低保有率欄８４は、組合せ部品グループＩＤ欄８３に入力した組合せ部品グループの最低保有率を入力（設定）する欄である。図９における最低保有率欄８４には「９３％」と入力されている。
【００８８】
組合せ部品グループＩＤ欄８３及び最低保有率欄８４に所定事項を入力した後、設定ボタン８５をクリックすると、組合せ部品グループＩＤ欄８３及び最低保有率欄８４に入力されたそのデータは設定・登録され、管理用データベース１３はそのデータを記憶する。
【００８９】
部品別最低保有率設定ボタン８９をクリックすると、各拠点の端末１４，１５，１６，１７には「部品単位の最低保有率の設定・表示」画面（図示せず）が表示される。この「部品単位の最低保有率の設定」画面では、「最低保有率の設定・表示」画面８０の組合せ部品グループＩＤ欄８３に入力した組合せ部品グループを構成している各部品の最低保有率を、個別に設定することができる。また、上述のように、組合せ部品グループを１つの部品で構成し、高い優先度を持たせることで組合せ部品グループを構成している各部品の最低保有率を個別に設定することもできる。その後、「戻る」ボタン８８を図５のメニュー画面２０へ戻る。
【００９０】
＜保有コミット率の設定・表示画面＞
最低保有率を設定した後、図５に示す「部品グループと保有率の設定画面」２０の「４．保有コミット率の設定・表示」２６をクリックする。すると、図１０に示すように、各拠点の端末１４，１５，１６，１７には「保有コミット率の設定・表示」画面９０が表示される。
【００９１】
「保有コミット率の設定・表示」画面９０は、「部品トータルの最低保有率」表示部９１と、「部品トータルの保有コミット率」欄９２と、達成度欄９３と、「部品グループの保有コミット率設定」欄９４と、拠点コード欄９５と、戻るボタン９６とにより構成されている。まず、拠点コード欄９５から拠点を選択する。
【００９２】
「部品トータルの最低保有率」表示部９１には、部品トータルの最低保有率が自動的に表示される。この部品トータルの最低保有率は、管理サーバ１２により、「最低保有率の設定・表示」画面８０の最低保有率欄８４に入力された各値に基づいて、その拠点の全部品の保有率として算出される。図１０における「部品トータルの最低保有率」表示部９１には「９５％」と表示されている。
【００９３】
「部品トータルの保有コミット率」欄９２には、部品トータルの保有コミット率が自動的に表示される。この部品トータルの保有コミット率は、管理サーバ１２によって、後述する「部品Ｇｒの保有コミット率」欄９４ｄに入力された各値に基づいて算出される。図１０における「部品トータルの保有コミット率」欄９２には「９８％」と表示されている。
【００９４】
達成度欄９３には、部品トータルの最低保有率に対する部品トータルの保有コミット率の達成度（達成率）が自動的に表示される。この達成度は、管理サーバ１２により、「部品トータルの保有コミット率」欄９２に表示された部品トータルの保有コミット率から、「部品トータルの最低保有率」表示部９１に表示された部品トータルの最低保有率を差し引くことによって算出される。図１０における達成度欄９３には「＋３％」と表示されている。
【００９５】
「部品グループの保有コミット率設定」欄９４には、組合せ部品グループＩＤ表示部９４ａと、組合せ部品グループ名表示部９４ｂと、「部品Ｇｒの最低保有率」表示部９４ｃと、「部品Ｇｒの保有コミット率」欄９４ｄと、部品表示部９４ｅと、最低保有率表示部９４ｆと、保有コミット率欄９４ｇと、保有在庫量表示部９４ｈと、補充必要分表示部９４ｉと、設定ボタン９４ｊとを含んでいる。
【００９６】
組合せ部品グループＩＤ表示部９４ａには、組合せ部品グループのＩＤが表示され、組合せ部品グループ名表示部９４ｂには、組合せ部品グループ名が表示され、「部品Ｇｒの最低保有率」表示部９４ｃには、組合せ部品グループＩＤ表示部９４ａ及び組合せ部品グループ名表示部９４ｂに表示された組合せ部品グループの最低保有率が表示される。
【００９７】
「部品Ｇｒの保有コミット率」欄９４ｄは、組合せ部品グループＩＤ表示部９４ａ及び組合せ部品グループ名表示部９４ｂに表示された組合せ部品グループの保有コミット率を入力（設定）する欄である。この「部品Ｇｒの保有コミット率」欄９４ｄには、初期値として、「部品Ｇｒの最低保有率」表示部９４ｃと同じ値が設定されている。
【００９８】
部品表示部９４ｅには、組合せ部品グループＩＤ表示部９４ａ及び組合せ部品グループ名表示部９４ｂに表示された組合せ部品グループを構成している各部品が表示される。
【００９９】
最低保有率表示部９４ｆには、「最低保有率の設定・表示」画面８０の最低保有率欄８４に入力した値が、組合せ部品グループＩＤ表示部９４ａ及び組合せ部品グループ名表示部９４ｂに表示された組合せ部品グループを構成している各部品の最低保有率として、自動的に表示（設定）される。
【０１００】
保有コミット率欄９４ｇには、「部品Ｇｒの保有コミット率」欄９４ｄに入力した値が、組合せ部品グループＩＤ表示部９４ａ及び組合せ部品グループ名表示部９４ｂに表示された組合せ部品グループを構成している各部品の最低保有率として、自動的に表示（設定）される。
【０１０１】
保有在庫量表示部９４ｈには、組合せ部品グループＩＤ表示部９４ａ及び組合せ部品グループ名表示部９４ｂに表示された組合せ部品グループを構成している各部品の保有在庫量が自動的に表示（指示）される。この保有在庫量の算出方法は後述する。但し、「部品Ｇｒの保有コミット率」欄９４ｄに対して組合せ部品グループの保有コミット率を入力する前においては、保有在庫量表示部９４ｈには上述の最低保有率から求められる保有在庫量が算出されて表示される。
【０１０２】
補充必要分表示部９４ｉには、組合せ部品グループＩＤ表示部９４ａ及び組合せ部品グループ名表示部９４ｂに表示された組合せ部品グループを構成している各部品の、補充必要分が自動的に表示（指示）される。この補充必要分の算出方法は、後述する。
【０１０３】
設定ボタン９４ｊをクリックすると、「部品Ｇｒの保有コミット率」欄９４ｄに入力されたそのデータは設定・登録され、管理用データベース１３はその「部品Ｇｒの保有コミット率」の値を記憶する。同時に、部品トータルの保有コミット率と達成度が算出されて、それらの値がそれぞれ「部品トータルの保有コミット率」欄９２と達成度欄９３とに更新表示される。
【０１０４】
本実施形態では、例えば、組合せ部品グループとしての「Ａ車のロータリエンジン部品」において、部品Ｇｒの保有コミット率として９５％を設定する場合、「部品Ｇｒの保有コミット率」欄９４ｄを９３％から９５％に変更入力する。これに伴い、この組合せ部品グループを構成している全部品の保有コミット率が一括して９５％に変更され、それが保有コミット率欄９４ｇに表示される。そして、目標在庫量として、最低保有率に代えて保有コミット率を使った場合における各部品毎の保有在庫量が、再度後述の方法により算出されて保有在庫量表示部９４ｈに表示され、さらに、補充必要分も後述の方法により算出されて補充必要分表示部９４ｉに表示される。これらを確認した後、設定ボタン９４ｊをクリックすることにより、部品トータルの保有コミット率が算出され、「部品トータルの保有コミット率」欄９２にはその値が更新表示されるとともに、達成度欄９３にも算出された値が更新表示される。ここで、Ａ部品の最低保有率、保有コミット率、保有在庫量及び補充必要分はそれぞれ、「９３％」「９５％」「２１０個」「３０個」である。また、「Ａ車のロータリエンジン部品」のＣ部品の最低保有率、保有コミット率、保有在庫量及び補充必要分はそれぞれ、「９５％」「９５％」「３００個」「１５個」である。ここで、Ｃ部品の最低保有率が他の部品と異なるのは、「部品単位の最低保有率の設定」画面において、Ｃ部品の最低保有率を個別に設定したためである。
【０１０５】
さらに、組合せ部品グループとしての「流動性高のブレーキ部品」には、部品Ｇｒの保有コミット率を入力する前における初期状態が示されているが、保有コミット率として最低保有率の値を用いる場合には、「部品Ｇｒの保有コミット率」欄９４ｄへの変更入力は不必要であり、このとき、最低保有率がそのまま保有コミット率となる。ここで、Ｄ部品の最低保有率、保有コミット率、保有在庫量及び補充必要分はそれぞれ、「９８％」「９８％」「５０個」「１５個」である。なお、保有コミット率欄９４ｇに数値を入力することにより、各部品毎に保有コミット率を設定することが可能である。また、上述のように、１つの部品からなる組合せ部品Ｇｒを設定することによっても、各部品毎に保有コミット率を設定することが可能である。また、上記保有コミット率を用いた場合における後述する占有スペース状況を確認する場合には、占有スペース状況表示ボタンをクリックする。また、戻るボタン９６をクリックすることにより、図５のメニュー画面２０へ戻る。
【０１０６】
＜一時的保有コミット率の設定・表示画面＞
さらにその後、一時的保有コミット率を設定する場合には、図５に示す「部品グループと保有率の設定画面」２０の「５．一時的保有コミット率の設定・表示」２７をクリックする。すると、図１１に示すように、各拠点の端末１４，１５，１６，１７には「一時的保有コミット率の設定・表示」画面１００が表示される。
【０１０７】
「一時的保有コミット率の設定・表示」画面１００は、「部品トータルの最低保有率」表示部１０１と、「部品トータルの保有コミット率」表示部１０２と、達成度表示部１０３と、一時的保有コミット率有効期間欄１０４と、変更程度入力欄１０５と、「部品グループの一時的保有コミット率設定」欄１０６と、「戻る」ボタン１０７と、占有スペース状況表示ボタン１０８と、拠点コード欄１０９とにより構成されている。まず、拠点コード欄１０９から拠点を選択する。
【０１０８】
「部品トータルの最低保有率」表示部１０１には、「保有コミット率の設定・表示」画面９０の「部品トータルの最低保有率」表示部９１に表示された部品トータルの最低保有率の値と同じ、部品トータルの最低保有率が自動的に表示される。図１１における「部品トータルの最低保有率」表示部１０１には「９５％」と表示されている。
【０１０９】
「部品トータルの保有コミット率」表示部１０２には、「保有コミット率の設定・表示」画面９０の「部品トータルの保有コミット率」欄９２に表示された部品トータルの保有コミット率の数値と同じ、部品トータルの保有コミット率が自動的に表示される。図１１における「部品トータルの保有コミット率」表示部１０２には「９８％」と表示されている。
【０１１０】
達成度表示部１０３には、「保有コミット率の設定・表示」画面９０の達成度欄９３に表示された達成度の値と同じ、達成度が自動的に表示される。図１１における達成度表示部１０３には「＋３％」と表示されている。
【０１１１】
一時的保有コミット率有効期間欄１０４は、保有コミット率の代わりに一時的保有コミット率を使用したい期間を入力する欄である。図１１における一時的保有コミット率有効期間欄１０４には「2003/02/01〜2003/03/30」と入力されている。そして、一時的保有コミット率有効期間欄１０４に入力された期間が経過すると、管理サーバ１２は、一時的保有コミット率を自動的に解除し、元の保有コミット率を再び用いる。
【０１１２】
変更程度入力欄１０５は、変更したい程度を入力する欄、すなわち、各拠点の希望条件を入力する欄である。変更程度入力欄１０５は、占有スペース欄１０５ａとコスト欄１０５ｂとにより構成されている。占有スペース欄１０５ａは、希望する占有スペースの総体積の値を入力する欄である。図１１における占有スペース欄１０５ａには「５００ｍ3以内」と入力されている。コスト欄１０５ｂは、希望するコスト総額の金額の値を入力する欄である。図１１におけるコスト欄１０５ｂには「１００万円以内」と入力されている。そして、占有スペース欄１０５ａとコスト欄１０５ｂとに数値を入力すると、管理サーバ１２は、その数値条件に見合った各部品の一時的保有コミット率のうち変更に伴う影響が最も小さい一時的保有コミット率を算出して後述する一時的保有コミット率欄１０６ｋ及び「部品Ｇｒの一時的保有コミット率」欄１０６ｅに自動的に表示（提示）する。なお、変更程度入力欄１０５にデータを入力するか、又は、後述する「部品Ｇｒの一時的保有コミット率」欄１０６ｅに一時的保有コミット率を直接入力するかのいずれかにより、一時的保有コミット率が設定される。
【０１１３】
「部品グループの一時的保有コミット率設定」欄１０６には、組合せ部品グループＩＤ表示部１０６ａと、組合せ部品グループ表示部１０６ｂと、「部品Ｇｒの最低保有率」表示部１０６ｃと、「部品Ｇｒの保有コミット率」表示部１０６ｄと、「部品Ｇｒの一時的保有コミット率」欄１０６ｅと、部品表示部１０６ｆと、最低保有率表示部１０６ｇと、保有コミット率表示部１０６ｈと、保有在庫量表示部１０６ｉと、補充必要分表示部１０６ｊと、一時的保有率コミット率欄１０６ｋと、保有コミット率を一時的に変更するときにおける該一時的変更を行う拠点への該変更に伴う影響に関する情報が示された「一時的保有コミット率による影響情報」表示部１０６ｌと、設定ボタン１０６ｍとを含んでいる。
【０１１４】
組合せ部品グループＩＤ表示部１０６ａには、組合せ部品グループのＩＤが表示され、組合せ部品グループ名表示部１０６ｂには、組合せ部品グループ名が表示され、「部品Ｇｒの最低保有率」表示部１０６ｃには、組合せ部品グループＩＤ表示部１０６ａ及び組合せ部品グループ名表示部１０６ｂに表示された組合せ部品グループの最低保有率が表示され、「部品Ｇｒの保有コミット率」表示部１０６ｄには、組合せ部品グループＩＤ表示部１０６ａ及び組合せ部品グループ名表示部１０６ｂに表示された組合せ部品グループの保有コミット率が表示される。
【０１１５】
「部品Ｇｒの一時的保有コミット率」欄１０６ｅは、組合せ部品グループＩＤ表示部１０６ａ及び組合せ部品グループ名表示部１０６ｂに表示された組合せ部品グループの一時的保有コミット率を入力する欄である。「部品Ｇｒの一時的保有コミット率」欄１０６ｅには、初期値として、「部品Ｇｒの保有コミット率」表示部１０６ｄと同じ値が入力されている。そして、この「部品Ｇｒの一時的保有コミット率」欄１０６ｅにその組合せ部品グループの保有コミット率を入力することにより、後述する一時的保有コミット率欄１０６ｋには、該入力した値がその組合せ部品グループを構成している各部品の保有コミット率として自動的に表示され、その結果、その組合せ部品グループを構成している各部品の保有コミット率が一括して変更される。なお、一時的保有コミット率欄１０６ｋに、組合せ部品グループを構成している各部品の保有コミット率を、個別に入力することも可能である。また、上述のように、組合せ部品グループを１つの部品で構成することにより、１つの部品に対して一時的保有コミット率を設定することも可能である。
【０１１６】
部品表示部１０６ｆには、組合せ部品グループＩＤ１０６ａ及び組合せ部品グループ名表示部１０６ｂに表示された組合せ部品グループを構成している各部品名が表示される。
【０１１７】
最低保有率表示部１０６ｇには、「保有コミット率の設定・表示」画面の最低保有率表示部に表示された各部品の最低保有率と同じ、各部品の最低保有率が表示される。
【０１１８】
保有コミット率表示部１０６ｈには、「保有コミット率の設定・表示」画面９０の保有コミット率欄９４ｇに表示された各部品の保有コミット率の値と同じ、各部品の保有コミット率が表示される。
【０１１９】
保有在庫量表示部１０６ｉには、「保有コミット率の設定・表示」画面９０の保有在庫量表示部９４ｈに表示された保有在庫量の数値と同じ、各部品の保有在庫量が表示される。
【０１２０】
補充必要分表示部１０６ｊには、「保有コミット率の設定・表示」画面９０の補充必要分表示部９４ｉに表示された補充必要分の数値と同じ、各部品の補充必要分が表示される。
【０１２１】
一時的保有コミット率欄１０６ｋは、各部品の一時的保有コミット率を入力する欄である。
【０１２２】
「一時的保有コミット率による影響情報」表示部１０６ｌは、保有コミット率を一時的保有コミット率に一時的に変更するときにおける該変更に伴う影響に関する情報を表示するものであり、一時的不足在庫量表示部１０６ｎと、「調達可能量／不足在庫量」表示部１０６ｏと、調達拠点表示部１０６ｐと、納入日数表示部１０６ｑと、調達拠点承認表示部１０６ｒとが含まれている。
【０１２３】
一時的不足在庫量表示部１０６ｎには、各部品の一時的不足在庫量が表示される。一時的不足在庫量とは、保有コミット率の代わりに一時的保有コミット率を一時的に使用したときに、不足する各部品の量を示している。この一時的不足在庫量は、管理サーバ１２により演算される。
【０１２４】
「調達可能量／不足在庫量」表示部１０６ｏには、各部品の一時的不足在庫量に対する、調達拠点表示部１０６ｐに表示された拠点の調達可能量の割合が自動的に表示される。調達可能量とは、調達拠点表示部１０６ｐに表示された拠点にが、一時的保有コミット率を一時的に使用する拠点に対して調達することのできる量である。この割合は、管理サーバ１２により算出される。
【０１２５】
調達拠点表示部１０６ｐには、一時的保有コミット率を一時的に使用する拠点に対して一時的不足在庫量の全部又は一部を調達することのできる拠点が、自動的に表示される。この拠点は、管理サーバ１２により推定して決定される。
【０１２６】
納入日数表示部１０６ｑには、調達拠点表示部１０６ｐに表示された拠点から一時的保有コミット率を一時的に使用する拠点に対して、調達可能量が納入されるまでに要する日数が自動的に表示される。この日数は、管理サーバ１２により推定して演算される。
【０１２７】
調達拠点承認表示部１０６ｒには、調達拠点表示部１０６ｐに表示された拠点のその調達に関する承認の可否が表示される。
【０１２８】
設定ボタン１０６ｍをクリックすると、一時的保有率コミット率欄１０６に表示されたその値が設定・登録され、管理用データベース１３はその数値を記憶する。そして、一時的保有コミット率を設定したことにより、管理サーバ１２は、調達拠点表示部１０６ｐに表示された拠点の端末に対し、調達拠点に選ばれた旨とその選ばれたことへの承認の可否の問い合わせとを内容とするメールを自動的に送信する。
【０１２９】
占有スペース状況表示ボタン１０８をクリックすると、各拠点の端末１４，１５，１６，１７には、後述する「占有スペース状況表示（部品Ｇｒ別）」画面１１０（図１２を参照）が表示される。
【０１３０】
本実施形態では、例えば、組合せ部品グループとしての「Ａ車のロータリエンジン部品」においては、「部品Ｇｒの一時的保有コミット率」欄１０６ｅには数値が変更入力されておらず、初期値として、「部品Ｇｒの保有コミット率」表示部１０６ｄと同じ９５％が入力されている。また、Ａ部品の一時的保有コミット率欄１０６ｋには、一時的保有コミット率として９０％が個別に設定されている。このとき、Ａ部品の一時的不足在庫量は「２０個」であり、そして、調達拠点として「Ａ拠点」「Ｂ拠点」及び「Ｃ拠点」が表示されている。また、各拠点の調達可能量及び納入日数は、「Ａ拠点」が「１０個」「２日」で、「Ｂ拠点」が「５個」「３日」で、「Ｃ拠点」が「５個」「３日」である。また、その調達に関する各拠点の承認状況は、「Ａ拠点」「Ｂ拠点」「Ｃ拠点」のすべてが「承認待ち」である。
【０１３１】
また、「流動性高のブレーキ部品」において、「部品Ｇｒの一時的保有コミット率」欄１０６ｅに９０％を入力すると、この組合せ部品Ｇｒを構成している全部品の一時的保有コミット率が一括して９０％に変更される。これに伴い、各表示部１０６ｎ，１０６ｏ，１０６ｐ，１０６ｑの表示が変更される。
【０１３２】
「戻る」ボタン１０７をクリックすると、図５のメニュー画面２０へ戻る。
【０１３３】
＜占有スペース状況表示（部品Ｇｒ別）画面＞
図１０の占有スペース状況表示ボタン９７又は図１１の占有状況スペース表示ボタン１０８をクリックすると、図１２の「占有スペース状況表示（部品Ｇｒ別）」画面１１０へ移行する。「占有スペース状況表示（部品Ｇｒ別）」画面１１０は、「部品トータルの最低保有率・部品トータルの保有コミット率・達成度」表示欄１１１と、「全占有スペース率・コスト」表示欄１１２と、占有スペース状況表示部１１３と、「占有スペース率・コスト」表示欄１１４と、部品別表示ボタン１１５と、「戻る」ボタン１１６と、「他拠点の占有スペース状況閲覧」ボタン１１７とにより構成されている。
【０１３４】
「部品トータルの最低保有率・部品トータルの保有コミット率・達成度」表示欄１１１には、「保有コミット率の設定・表示」画面９０に表示された部品トータルの最低保有率、部品トータルの最低保有率及び達成度の値と同じ、部品トータルの最低保有率、部品トータルの保有コミット率及び達成度が自動的に表示される。
【０１３５】
「全占有スペース率・コスト」表示欄１１２には、「保有コミット率の設定・表示」画面９０で設定された、各部品の保有コミット率を基に算出された保有在庫量で該各部品を保有するときにおける全占有スペース率とコストとが自動的に表示される。全占有スペース率とは、拠点２，３，４，５の部品載置可能スペースの体積に対して部品の占めている体積の割合を示し、コストとは、部品載置可能スペースに部品を保管することに伴う総コストを示す。これらの全占有スペース率とコストは、部品載置可能スペースの大きさと各部品の大きさと各部品の保有コミット率を基に算出された保有在庫量と各部品の値段とに基づいて、管理サーバ１２により算出される。図１２における「全占有スペース率・コスト」表示欄１１２には、全占有スペース率として「７８％」と表示され、コストとして「４９２万円」と表示されている。
【０１３６】
占有スペース状況表示部１１３には、「保有コミット率の設定・表示」画面９０で設定された、各部品の保有コミット率を基に算出された保有在庫量で該各部品を保有するときにおける占有スペース状況が自動的に表示される。占有スペース状況とは、各拠点の部品保管可能スペースに対する部品の占有状況を示している。この占有スペース状況は、部品載置可能スペースの大きさと各部品の大きさと各部品の保有コミット率を基に算出された保有在庫量とに基づいて、管理サーバ１２により算出される。占有スペース状況表示部１１３における斜線部分は部品により占有されていることを意味し、空白部分は部品を載置することができることを意味している。
【０１３７】
「占有スペース率・コスト」表示欄１１４には、「保有コミット率の設定・表示」画面９０で設定された、各部品の保有コミット率を基に算出された保有在庫量で該各部品を保有するときにおける各組合せ部品グループ毎の占有スペース率及びコストとが表示される。図１２における「Ａ車のロータリエンジン部品」の「占有スペース率・コスト」表示欄１１４には、占有スペース率として「４０％」と表示されているとともにコストとして「２５２万円」と表示され、また、「流動性高のブレーキ部品」の「占有スペース率・コスト」表示欄１１４には、占有スペース率として「３８％」と表示されているとともにコストとして「２４０万円」と表示されている。
【０１３８】
部品別表示ボタン１１５をクリックすると、各拠点の端末１４，１５，１６，１７には後述する「占有スペース状況表示（部品別）」画面１２０（図１３を参照）が表示される。
【０１３９】
「他拠点の占有スペース状況閲覧」ボタン１１７をクリックすると、影響を受ける、特定の他拠点の占有スペース状況を閲覧することができる。「戻る」ボタン１１６をクリックすると、図１０の「保有コミット率の設定・表示」画面９０又は図１１の「一時的保有コミット率の設定・表示」画面１００へ戻る。
【０１４０】
＜占有スペース状況表示（部品別）画面＞
図１３に示すように、「占有スペース状況表示（部品別）」画面１２０は、「部品トータルの最低保有率・部品トータルの保有コミット率・達成度」表示欄１２１と、「全占有スペース率・コスト」表示欄１２２と、占有スペース状況棒グラフ部１２３と、占有スペース状況表示部１２４と、「占有スペース率・コスト」表示欄１２５と、部品グループ別表示ボタン１２６と、「戻る」ボタン１２７と、「他拠点の占有スペース状況閲覧」ボタン１２８とにより構成されている。
【０１４１】
占有スペース状況棒グラフ部１２３には、「保有コミット率の設定・表示」画面９０で設定された、各部品の保有コミット率を基に算出された保有在庫量で該各部品を保有するときにおいて、各組合せ部品グループを構成している各部品毎に割り当てられたスペースに対する該各部品の占有状況が、各部品毎に自動的に表示される。図１３における占有スペース状況棒グラフ部１２３によれば、「Ａ車のロータリエンジン部品」の「Ａ部品」及び「流動性高のブレーキ部品」の「Ｅ部品」は、１００％を超えていること及び「Ａ部品」「Ｅ部品」のために割り当てられたスペースよりも大きいスペースを、これらの部品が占有していることが分かる。
【０１４２】
占有スペース状況表示部１２４には、「保有コミット率の設定・表示」画面９０で設定された、各部品の保有コミット率を基に算出された保有在庫量で該各部品を保有するときにおける各組合せ部品グループを構成している各部品毎の占有スペースの状況が自動的に表示される。
【０１４３】
「占有スペース率・コスト」表示欄１２５には、「保有コミット率の設定・表示」画面９０で設定された、各部品の保有コミット率を基に算出された保有在庫量で該各部品を保有するときにおける各組合せ部品グループを構成している各部品毎の占有スペース率及びコストが表示される。図１３における「Ａ車のロータリエンジン部品」の「Ａ部品」の「占有スペース率・コスト」表示欄１２５には、占有スペース率として「２０％」と表示されているとともにコストとして「１５０万円」と表示され、また、「流動性高のブレーキ部品」の「Ｄ部品」の「占有スペース率・コスト」表示欄１２５には、占有スペース率として「１４％」と表示されているとともにコストとして「１００万円」と表示されている。
【０１４４】
部品グループ別表示ボタン１２６をクリックすると、各拠点の端末１４，１５，１６，１７には、図１２に示す「占有スペース状況表示（部品Ｇｒ別）」画面１１０が表示される。「戻る」ボタン１２７をクリックすると、図１０の「保有コミット率の設定・表示」画面９０又は図１１の「一時的保有コミット率の設定・表示」画面１００へ戻る。
【０１４５】
その他の点に関しては、「占有スペース状況表示（部品Ｇｒ別）」画面１１０とほぼ同様である。ここまで、最低保有率・保有コミット率・一時的保有コミット率の設定の方法の詳細な説明を行った。
【０１４６】
次に、図３及び図４に示すように、管理サーバ１２は、将来の所定期間における各拠点２，３，４，５の各部品の受注予測数と、各拠点２，３，４，５の各部品の目標コミット率と、下位拠点の各部品の保有在庫量とに基づいて、将来の所定期間における各拠点２，３，４，５の各部品の保有在庫量を算出する（ステップＳ６）。ここで、下位拠点とは、販社拠点２を除く各拠点３，４，５の直下に位置しているすべての拠点である。また、目標在庫量は、最低保有率及び保有コミット率のいずれかである。将来の所定期間における各拠点２，３，４，５における各部品の保有在庫量は、以下の式（１）により求められる。但し、販社拠点２の場合には、後述する「将来の所定期間における下位拠点の保有在庫量」を０とする。
【０１４７】
将来の所定期間における各拠点の各部品の保有在庫量＝｛（将来の所定期間における各拠点の各部品の受注予測数）＋（将来の所定期間における下位拠点の保有在庫量）｝×（各拠点の各部品の目標保有率）…（１）
なお、各拠点２，３，４，５が、保有コミット率の代わりに一時的保有コミット率を所定期間使用するときには、管理サーバ１２は、上記の式（１）に用いる目標保有率としての保有コミット率に代えて、一時的保有コミット率を使用する。
【０１４８】
次に、管理サーバ１２は、将来の所定期間における各拠点２，３，４，５の各部品の保有在庫量の情報を、各拠点の端末１４，１５，１６，１７に送信する。なお、管理サーバ１２は、この将来の所定期間における各拠点２，３，４，５の各部品の保有在庫量の情報の送信を、各拠点２，３，４，５の営業時間外に行う。
【０１４９】
次に、各拠点の端末１４，１５，１６，１７は、各拠点２，３，４，５の各部品の不足分を示す、緊急発注数又は補充発注数を算出する（ステップＳ７）。各拠点２，３，４，５の各部品の緊急発注数及び補充発注数は以下の式（２）及び（３）によりそれぞれ求められる。
【０１５０】
各拠点の各部品の緊急発注数＝（各拠点の各部品の受注数）−（各拠点の各部品の現保有在庫量）…（２）
各拠点の各部品の補充発注数＝（将来の所定期間における各拠点の各部品の保有在庫量）−（各拠点の各部品の現保有在庫量）…（３）
上述の「各拠点の各部品の現保有在庫量」は、以下の式（４）により求められる。
【０１５１】
各拠点の各部品の現保有在庫量＝（現在実際に保有している数）＋（既に発注しているが、まだ入庫されていない数）−（既に受注しているが、まだ出荷していない数）…（４）
次に、管理サーバ１２は、各拠点２，３，４，５の各部品の保有在庫量及び緊急発注数又は補充発注数等の情報を、各拠点の端末１４，１５，１６，１７に送信し、そして、各拠点の端末１４，１５，１６，１７には、各部品の保有在庫量及び緊急発注数又は補充発注数（補充必要分）等の情報が表示される（図９〜図１３を参照）。
【０１５２】
次に、緊急発注数又は補充発注数等に応じて、各拠点の端末１４，１５，１６，１７に、発注する部品の品番及び数量、発注時刻等の発注データが入力され（ステップＳ８）、入力された発注データは各拠点の端末１４，１５，１６，１７から管理サーバ１２に送信される。
【０１５３】
次に、管理サーバ１２又は各拠点の端末１４，１５，１６，１７は、発注データに基づいて、発注方式の判別を行う（ステップＳ９）。具体的には、管理サーバ１２又は各拠点の端末１４，１５，１６，１７は、発注した時刻が発注元の拠点の営業時間内であると判定すると、その拠点が発注した部品は緊急部品であると判定する。ここで、緊急部品とは、受注したにも拘わらず在庫がないため、至急必要となる部品である。そして、管理サーバ１２又は各拠点の端末１４，１５，１６，１７は、その拠点の直上に位置している拠点を、緊急発注数分の部品の発注先とする。
【０１５４】
一方、管理サーバ１２又は各拠点の端末１４，１５，１６，１７は、発注した時刻が発注元の拠点の営業時間外であると判定すると、その拠点が発注した部品は補充部品であると判定する。ここで、補充部品とは、将来の所定期間における保有在庫量と現保有在庫量との差に基づいて、補充する部品である。そして、管理サーバ１２又は各拠点の端末１４，１５，１６，１７は、国内用部品庫５又はその拠点の直上の拠点を、補充発注分の部品の発注先とする。
【０１５５】
次に、管理サーバ１２又は各拠点の端末１４，１５，１６，１７は、発注元の拠点が発注した部品が緊急部品であると判定したときには、その拠点の直上に位置している拠点の端末に、緊急発注数分の部品を発注元の拠点に対して補充することを指示する情報を送信する一方、発注元の拠点が発注した部品が補充部品であると判定したときには、緊急部品の発注先と同様に、その直上に位置している拠点の端末又は国内用部品庫端末１４に、補充発注数分の部品を発注元の拠点に対して補充することを指示する情報を出力する（ステップＳ１０）。
【０１５６】
最後に、国内用部品庫端末１４は、サプライヤ６に対して、各部品の必要数の調達を指示する。
【０１５７】
−効果−
以上により、本実施形態によれば、「保有コミット率の設定・表示」画面９０の「部品Ｇｒの保有コミット率」欄９４ｄに保有コミット率を入力することにより、「部品Ｇｒの保有コミット率」欄９４ｄに入力したその値が、組合せ部品グループＩＤ表示部９４ａに表示された組合せ部品グループを構成している各部品の保有コミット率として一律に設定されるため、各部品のそれぞれに対して保有コミット率を設定する必要がない。したがって、保有在庫量の算出作業の簡略化を図ることができる。
【０１５８】
また、各基本部品グループを構成している部品は各拠点２，３，４，５単位で設定可能であるため、各拠点２，３，４，５毎に各組合せ部品グループを構成している部品を変更することができる。
【０１５９】
また、「最低保有率の設定・表示」画面８０の最低保有率欄８４に最低保有率を入力することにより、最低保有率欄８４に入力したその値が、組合せ部品グループＩＤ欄８３に入力した組合せ部品グループを構成している各部品の最低保有率として一律に設定されるため、各部品のそれぞれに対して最低保有率を設定する必要がない。
【０１６０】
また、「部品単位の最低保有率の設定」画面では、組合せ部品グループＩＤ欄８３に入力した組合せ部品グループを構成している各部品の最低保有率を、個別に設定することができるため、各部品のそれぞれに対して最低保有率を設定することもできる。
【０１６１】
また、管理サーバ１２は、少なくとも各拠点２，３，４，５における各部品の将来の所定期間の受注予測数と各拠点２，３，４，５における各組合せ部品グループ毎又は各部品毎に設定・記憶された最低保有率とに基づいて、将来の所定期間における各拠点２，３，４，５の各部品の保有在庫量を算出し、該算出した保有在庫量を、「保有コミット率の設定・表示」画面９０の保有在庫量表示部９４ｈに自動的に表示するため、各拠点２，３，４，５は、将来の所定期間における各部品の保有在庫量を簡単に知ることができる。
【０１６２】
また、管理サーバ１２は、算出した保有在庫量から各拠点２，３，４，５における各部品の現保有在庫量を引いた値を算出し、該算出した値を、組合せ部品グループＩＤ表示部９４ａに表示された組合せ部品グループを構成している各部品の補充必要分として、「保有コミット率の設定・表示」画面９０の補充必要分表示部９４ｉに自動的に表示するため、各拠点２，３，４，５は、各部品の必要な補充量を簡単に知ることができる。
【産業上の利用可能性】
【０１６３】
以上説明したように、本発明は、自動車等の車両用部品を保有し管理する複数の拠点に対して、将来の所定期間において適正な在庫量で上記部品を保有させるためのシステム等について有用である。
【０１６４】
（必要な場合に記載）
【図面の簡単な説明】
【０１６５】
【図１】本発明の実施形態に係る車両用部品在庫管理システムに適用される拠点の階層構造を示す図である。
【図２】車両用部品在庫管理システムの概略構成図である。
【図３】車両用部品在庫管理システムの動作を示すフローチャートである。
【図４】拠点の保有在庫量を示す図である。
【図５】部品グループと保有率の設定画面を示す図である。
【図６】基本部品グループの設定・表示画面を示す図である。
【図７】基本部品グループ設定画面を示す図である。
【図８】組合せ部品グループの設定・表示画面を示す図である。
【図９】最低保有率の設定・表示画面を示す図である。
【図１０】保有コミット率の設定・表示画面を示す図である。
【図１１】一時的保有コミット率の設定・表示画面を示す図である。
【図１２】占有スペース状況表示画面を示す図である。
【図１３】占有スペース状況表示画面を示す図である。
【符号の説明】
【０１６６】
１    車両用部品在庫管理システム
２    販社拠点
３    子拠点
４    親拠点
５    国内用部品庫
１２  管理サーバ（制御手段）
１３  管理用データベース（最低保有率記憶手段、保有コミット率記憶手段、部品グループ記憶手段）
１４  国内用部品庫端末
１５  親拠点端末
１６  子拠点端末
１７  販社拠点端末
【図１】
2005075523.tif 000003
【図２】
2005075523.tif 000004
【図３】
2005075523.tif 000005
【図４】
2005075523.tif 000006
【図５】
2005075523.tif 000007
【図６】
2005075523.tif 000008
【図７】
2005075523.tif 000009
【図８】
2005075523.tif 000010
【図９】
2005075523.tif 000011
【図１０】
2005075523.tif 000012
【図１１】
2005075523.tif 000013
【図１２】
2005075523.tif 000014
【図１３】
2005075523.tif 000015